(57)【特許請求の範囲】
【請求項１】
落雷時に発生する電磁波のレベルを検出する落雷検出部と、
雲・大地間の静電界の強度を検出する静電界検出部と、
その両検出部から出力された検出信号のレベルに基づいたランクの警告情報を出力するための警告出力部と、
前記両検出部からの検出信号のレベルに高低差がある場合、静電界検出部のレベルに優先的に従って警告情報のランクを調整するランク調整部と
を備えたことを特徴とする落雷警報システム。
【請求項２】
前記ランク調整部は、前記静電界検出部の検出レベルが落雷検出部の検出レベルより低い場合に、前記警告出力部から出力される警告情報のランクをダウンさせることを特徴とする請求項１に記載の落雷警報システム。
【請求項３】
前記ランク調整部は、降水情報を入力し、その降水情報に従って警告情報のランクをダウンさせることを特徴とする請求項２に記載の落雷警報システム。
【請求項４】
前記ランク調整部は、上空の風情報を入力し、その風情報に従って警告情報のランクをダウンさせることを特徴とする請求項２または３に記載の落雷警報システム。
【請求項５】
前記ランク調整部は、雷注意報を入力し、その雷注意報の有無に従って警告情報のランクをダウンさせることを特徴とする請求項２〜４のうちのいずれか一項に記載の落雷警報システム。
【請求項６】
前記ランク調整部は、雷注意報,降水情報,風情報のうちの少なくともひとつを入力し、その情報に従って警告情報のランクをダウンさせ、それらの情報のうちの少なくともひとつの情報が入力されない場合は、ランクダウンを実行しないことを特徴とする請求項２に記載の落雷警報システム。
【請求項７】
前記警告出力部は、警告情報を携帯端末に対して通知することを特徴とする請求項１〜６のうちのいずれか一項に記載の落雷警報システム。
【発明の詳細な説明】
【技術分野】
【０００１】
この発明は、落雷の発生を予測して警告する落雷警報システムに関するものである。
【背景技術】
【０００２】
一般に、屋外の作業現場,例えばタワー等，高層建築物の建設作業現場や、学校の校庭、運動場、スタジアム、ゴルフ場等の屋外で多数の人が集まる場所では、雷の接近を事前に検出して、適切なタイミングにおける避難や被害縮小を図ることが望まれている。
【０００３】
このような要望に対処するために、例えば特許文献１及び特許文献２に開示されるような技術が従来から提案されている。
特許文献１に記載の第１従来技術の例えば図１には、地上の電界強度を検出するための複数の電界強度測定器１ａ〜１ｃが開示されている。そして、各電界強度測定器１ａ〜１ｃからの電界強度情報と、気象庁等の外部機関から発表される気象レーダ情報や高層気象情報に基づいて、落雷危険度が判定され、その危険度の度合いが表示装置により表示される。
【０００４】
また、特許文献２に記載の第２従来技術の例えば図１には、空中の電界強度を検出するための電界強度検出センサー１１と、雷雲のコロナ電流により発生した電界の急変を検出する雷雲放電センサー１３とが開示されている。そして、両センサーの検出結果等に基づいて、襲雷の可能性が予測され、その可能性が高くなると、警報が発生される。
【０００５】
さらに、第３従来技術及び第４従来技術として、次のようなものが実施されている。第３従来技術は、落雷検出器が単独で用いられている。この落雷検出器は、落雷時に発生する電磁波を検出するものである。その検出結果に基づいて、作業現場等における雷発生のおそれの警報が行われる。第４従来技術は、静電界強度検出器を単独で用いて、作業現場等の真上の雲の静電界の電界強度を検出するものである。そして、それらの検出結果に基づいて、作業現場等における雷発生のおそれの警報が行われる。
【先行技術文献】
【特許文献】
【０００６】
【特許文献１】特開平１０−２６８０６４号公報
【特許文献２】特開２００３−２８９６８号公報
【発明の概要】
【発明が解決しようとする課題】
【０００７】
ところが、これらの従来構成においては、次のような問題があった。
前記第１及び第２従来構成においては、電界強度測定器あるいは電界強度センサーにより電界強度の強弱や電界強度の急変を検出し、その検出結果を用いて雷発生のおそれを判別するようになっている。このため、突然に落ちる雷（以下、突発落雷という）については対応可能である一方で、検出範囲が狭いエリアに限定されてしまい、遠方の雷雲を検出して早めの落雷予測対応を行うことができないという問題があった。
【０００８】
また、第１及び第２従来構成では、外部機関からの気象レーダ情報、高層気象情報や、電界強度の急変検出結果等を、電界強度の検出結果に加味することにより、雷発生のおそれの判別精度を向上させるようにしている。しかしながら、このようにした場合でも、移動する雷雲を検出することは困難で、早めの落雷予測対応を行うことができなかった。
【０００９】
これに対して、第３従来構成においては、建造物の作業現場等に設置された落雷検出器により落雷時に発生する電磁波を検出し、その電磁波の検出結果に基づいて、雷発生のおそれを判別する。このため、例えば１００ｋｍ以上離れた位置の遠雷でも検出することが可能であって、早めの落雷予測対応を行うことができるが、落雷がない限り電磁波が発生しないため、例えば、接近してくる予兆がない突発落雷については対応することができない。また、落雷地域の遠近に関わらず、広い範囲の落雷が検出されるため、その検出が頻繁になり、必要性のない警報発令も頻繁になって、信頼性に乏しい。
【００１０】
第４従来構成においては、第１,第２従来構成と同様な問題を有している。
この発明は、このような従来の技術に存在する問題点に着目してなされたものである。その目的は、落雷可能性を高精度に判別して、突発落雷に対応することができるとともに、早めの警告を可能にできる落雷警報システムを提供することにある。
【課題を解決するための手段】
【００１１】
上記の目的を達成するために、この発明は、落雷時に発生する電磁波のレベルを検出する落雷検出部と、雲・大地間の静電界の電界強度を検出する静電界検出部と、その両検出部から出力された検出信号のレベルに基づいたランクの警告情報を出力するための警告出力部と、前記両検出部からの検出信号のレベルに高低差がある場合、静電界検出部のレベルに優先的に従って警告情報のランクを調整するランク調整部とを備えたことを特徴としている。
【００１２】
従って、この発明の落雷警報システムにおいては、落雷検出部により落雷の発生が検出されるとともに、静電界検出部により雲・大地間の静電界の電界強度が検出される。そして、両検出部から出力された検出信号のレベルに基づいて、警告出力部により警告情報のランクが決定され、そのランク付けされた警告情報が警告出力部から出力される。このとき、静電界検出部の検出レベルが優先的に採用されて、警告情報が出力される。よって、遠方の落雷検出情報に加えて近隣地の静電界検出情報に基づいて、雷発生のおそれを高精度に判別して警告することができて、突発落雷や、遠隔地から接近する雷に対して適切に対応することができる。
【００１３】
前記の構成において、前記ランク調整部は、前記静電界検出部の検出レベルが落雷検出部の検出レベルより低い場合に、前記警告出力部から出力される警告情報のランクをダウンさせることが好ましい。
【００１４】
このようにすれば、警告情報のランクダウンによって、不要な警告を防止できて、その警告の信頼性を高めることができる。
前記の構成において、前記ランク調整部は、降水情報を入力し、その降水情報に従って警告情報のランクをダウンさせることが好ましい。
【００１５】
前記の構成において、前記ランク調整部は、上空の風情報を入力し、その風情報に従って警告情報のランクをダウンさせることが好ましい。
前記の構成において、前記ランク調整部は、雷注意報を入力し、その雷注意報の有無に従って警告情報のランクをダウンさせることが好ましい。
【００１６】
前記の構成において、前記ランク調整部は、雷注意報,降水情報,風情報のうちの少なくともひとつを入力し、その情報に従って警告情報のランクをダウンさせ、それらの情報のうちの少なくともひとつの情報が入力されない場合は、ランクダウンを実行しないことが望ましい。
【００１７】
前記の構成において、前記警告出力部は、警告情報を携帯端末に対して通知することが望ましい。
【発明の効果】
【００１８】
以上のように、この発明によれば、落雷検出情報及び静電界検出情報に基づいて、雷発生のおそれを高精度に判別して警告することができるという効果を発揮する。
【図面の簡単な説明】
【００１９】
【図１】一実施形態の落雷警報システムを示すブロック図。
【図２】図１の落雷警報システムの動作を示すフローチャート。
【図３】図２のフローチャートにおける警告ランクのダウン条件の判別動作を示すフローチャート。
【図４】図３のフローチャートにおける警告ランクの第１のダウン動作を示すフローチャート。
【図５】同フローチャートにおける警告ランクの第２のダウン動作を示すフローチャート。
【図６】同フローチャートにおける警告ランクの第３のダウン動作を示すフローチャート。
【図７】同フローチャートにおける警告ランクの第４のダウン動作を示すフローチャート。
【図８】落雷検出レベルを示す図。
【図９】静電界検出レベルを示す図。
【図１０】降水、風向きレベルを示す図。
【図１１】落雷検出レベル及び静電界検出レベルに基づいて警告ランクを示す図。
【図１２】警告ランクの第１のダウン動作時における判別基準を示す図。
【図１３】警告ランクの第２〜第４のダウン動作時における判別基準を示す図。
【図１４】警告情報をメール配信する場合の配信内容を例示する図。
【発明を実施するための形態】
【００２０】
以下に、この発明を具体化した落雷警報システムの一実施形態を図面に従って説明する。
図１に示すように、この実施形態の落雷警報システムにおいては、タワー等の建造物の建設作業現場あるいは建設作業現場の周辺の地点（例えば半径２〜１０ｋｍ以内の地点）に、落雷検出部としての落雷検出装置２１が設置されている。この落雷検出装置２１は、例えば１００Ｋｍ以上の遠方であっても落雷時に発生する電磁波のうちの高周波成分をアンテナによって捕捉して、その電磁波のレベルを検出し、そのレベルに応じた信号を出力する。これによって、落雷の発生の有無を判別できる。
【００２１】
建造物の建設作業現場または建設作業現場の近隣の地点（例えば半径数Ｋｍ以内の地点）には、静電界検出部としての静電界検出装置２２が設置されている。この静電界検出装置２２は、前記落雷検出装置２１よりも作業現場に近いほうが好ましい。そして、静電界検出装置２２は、数Ｋｍ圏内における雲と大地と間の地上空間における静電界の強度を検出し、その検出レベルに応じた信号を出力する。これによって、上空の雲が雷雲かどうかを判別することができる。
【００２２】
そして、前記落雷検出装置２１及び静電界検出装置２２からの検出信号が、制御装置２３の処理部２４，２５を介して制御部２６に対して出力され、そのデータが記憶部２７に記憶される。
【００２３】
この場合、処理部２４は落雷検出装置２１からの検出信号を、記憶部２７に記憶された複数のしきい値と比較して、図８に示すように、落雷検出レベルとして１〜３の３段階にレベル分けして出力する。レベル１は、電磁波が検出されない場合及びごく弱いレベルの電磁波（例えば、５００Ｖ／ｍ未満）が検出された場合を示す。レベル２は、中程度のレベルの電磁波（例えば、５００〜１０００ｍＶ／ｍ）が検出された場合を示す。レベル３は、高いレベルの電磁波（例えば、１０００Ｖ／ｍ超過）が検出された場合を示す。なお、図８に示すように、電磁波が一定時間（例えば１５分）検出されない状態が継続すると、記憶部２７における落雷検出レベルの記憶を解除するための信号が処理部２４から出力される。
【００２４】
また、処理部２５は静電界検出装置２２からの検出信号を記憶部２７に記憶された複数のしきい値と比較して、図９に示すように、静電界強度検出レベルとして１〜３の３段階にレベル分けして、それらのレベルを示す信号を出力する。レベル１は、静電界が検出されない場合あるいはごく低い電界強度の静電界（例えば、３００Ｖ／ｍ未満）が検出された場合を示す。レベル２は、中程度の電界強度の静電界（例えば、３００〜５００Ｖ／ｍ）が所定時間継続して（例えば２０秒以上）検出された場合を示す。レベル３は、高い電界強度の静電界（例えば、５００Ｖ／ｍ超過）が所定時間継続して（例えば２０秒以上）検出された場合を示す。なお、図９に示すように、静電界が検出されない状態やごく低レベルの検出状態が一定時間（例えば１０分）継続すると、記憶部２７における静電界検出レベルの記憶を解除するための信号が処理部２５から出力される。
【００２５】
前記制御装置２３の制御部２６は、両検出装置２１，２２から出力された検出信号のレベルに基づいて警告情報のランクを決定するとともに、そのランク付けした警告情報を出力して、記憶部２７に記憶させるための警告出力部を構成している。すなわち、この警告出力部としての制御部２６は、図１１に示すように、検出信号のレベルＬＶ０〜３に基づき、記憶部２７に記憶されたランク基準に従って、警告ランクとしてＲＮ１〜３の３段階の警告情報を決定し、出力する。例えば、静電界検出レベルＬＶが“０”で、落雷検出レベルＬＶが“１”の場合には、警告ランクＲＮ“１”の警告情報を出力する。また、空間静電界検出レベルＬＶが“２”で、落雷検出レベルがＬＶ“１”の場合には、警告ランクＲＮ“２”の警告情報を出力する。さらに、静電界検出レベルＬＶが“３”で、落雷検出レベルＬＶが“１”の場合には、警告ランクＲＮ“３”の警告情報を出力する。以上のように、制御部２６は、落雷検出レベルと静電界検出レベルとを比較して、高いほうのレベルを警告レベルとする。
【００２６】
この実施形態において、前記制御装置２３の制御部２６は、特定の条件下において、静電界検出装置２２による検出を落雷検出装置２１による検出よりも優先して動作を実行する。そして、制御部２６は、静電界検出装置２２の検出信号に基づく静電界検出レベルが落雷検出装置２１の検出信号に基づく落雷検出レベルより低い場合に、前記警告情報のランクＲＮをダウンさせるためのランク調整部を構成している。
【００２７】
ここで、このランク調整部としての制御部２６は、図１１に※１〜４で示すように、出力されたランクの警告情報が前記両装置２１，２２による検出レベルの比較条件に該当するかどうかを判別する。そして、該当する場合には、記憶部２７に記憶された図１２及び図１３に示す調整方法に従って警告情報のランクをダウンさせる。
【００２８】
すなわち、図１に示すように、ランク調整部としての制御部２６は、気象データをコードデータとして配信する外部機関からの降雨及び降雪等の降水情報２８ａ,上空の風向き等の風情報２８ｂ及び雷注意報２９を入力する。降水情報２８ａは降水エコーによって表わされ、雷雲等の雲の量及び地図上の座標位置を示すデータよりなり、落雷のおそれの程度及びそのおそれが及ぶ可能性のある地域を表す。つまり、降水量が多い場合は、降水エコーが強く、雲が雷雲の場合は落雷のおそれが高い。風情報２８ｂは、複数の特定地点における上空（雷雲のある高さ，上空３〜５Ｋｍ程度）の風速、風の向きを示すベクトルデータよりなる。制御部２６は、降水エコー発生地点の風情報２８ｂを選択して演算に用いる。雷注意報２９は作業場所を中心とした特定圏内（例えば、半径１００ｋｍ圏内）あるいは特定の指定圏内（例えば、東京２３区東部）を対象として発令されたものが選択される。
【００２９】
そして、前記制御部２６は、降水情報２８ａ、風情報２８ｂ及び雷注意報２９に従って、警告情報のランクをダウンさせる。すなわち、ここで、処理部３０は降水情報２８ａ及び風情報２８ｂを記憶部２７に記憶されたしきい値と比較して、図１０に示すように、ダウン条件のレベルをマイナス（−）１，１〜４の５段階にレベル分けし、そのデータを制御部２６に対して出力する。
【００３０】
レベル−１は、作業現場等を中心とした前記特定圏内あるいは特定の指定圏内に降水エコー域が存在しない場合，言い換えれば雷雲等の雲が存在しない場合を示す。レベル１は、前記圏内に降水エコー域が存在し、作業現場等から降水エコー域までの距離が例えば３０〜４０Ｋｍの場合を示す。レベル２は、前記所定圏内に降水エコー域が存在し、降水エコー域までの距離が例えば２０〜３０Ｋｍで、上空の風が作業現場に向かっている場合を示す。レベル３は、前記所定圏内に降水エコー域が存在し、降水エコー域までの距離が例えば１０〜２０Ｋｍで、上空の風が作業現場に向かっている場合を示す。レベル４は、前記圏内に降水エコー域が存在し、風の有無に関わらず、降水エコー域までの距離が例えば１０Ｋｍ以内の場合を示す。つまり、レベル４は、作業現場等やその近辺で時間を経ることなく落雷が発生する可能性を示す。
【００３１】
図１に示すように、前記警告出力部としての制御部２６は、作業現場等に設置された警告灯３１を表示させるとともに、音声による警告放送３２を流し、さらに作業員が所持する携帯端末へメール配信３３等によって通知することにより、警告情報の報知を行う。この場合、警告灯３１では、緑色灯、黄色灯、赤色灯の選択点灯によって、警告情報のランクＲＮ１〜３の表示が行われる。また、メール配信３３では、例えば図１４に示すような警告ランクを含む諸情報が発信される。警告放送３２は、メール配信３３に準じた内容であって、あらかじめ録音された諸情報が再生されて拡声器からの音声によって報知される。
【００３２】
次に、前記のように構成された落雷警報システムの作用を説明する。
この落雷警報システムにおいては、制御装置２３の制御部２６の制御により、記憶部２７に記憶されたプログラムに従って、図２〜図７のフローチャートの各ステップ（以下、単にＳという）に示す動作が順に実行される。
【００３３】
すなわち、図２のＳ１において落雷にともなう電磁波により落雷検出装置２１から落雷検出信号が入力されると、次のＳ２において処理部２４から、図８に示すように落雷検出レベル１〜３のいずれかを示す信号が出力される。さらに、Ｓ３において雲・大地間の静電界，すなわち作業現場等の上空の静電気の静電界により、静電界検出装置２２から静電界検出信号が入力されると、次のＳ４において処理部２５から、図９に示す静電界検出レベル２，３を示すいずれかの信号が出力される。なお、前記静電界が検出されない場合や、静電界の電界強度が微弱な場合は、静電界検出レベル１を示す信号が出力される。
【００３４】
続いて、Ｓ５においては、制御部２６により図１１に示すランク判別基準に従って、警告ランクＲＮ０〜３のいずれかが生成される。ここで、警告ランクＲＮは、静電界検出レベル及び落雷検出レベルのうちの高いほうのレベルの値を警告ランクＲＮの値とする処理が行われる。次のＳ６においては、警告が必要であるか否か、つまり警告ランクＲＮが０または１〜３であるか否かが判別され、警告ランクＲＮが０であって、警告が必要でない場合には、前記Ｓ１に戻ってＳ１〜Ｓ６の動作が繰り返し行われる。
【００３５】
一方、Ｓ６において警告ランクＲＮが１〜３であって、警告が必要であると判別された場合には、次のＳ７において、前記静電界検出レベルと落雷検出レベルとが比較される。続くＳ８においては、静電界検出レベルが落雷検出レベルより低くて、警告ランク１〜３のダウンが必要であるか否かが判別される。
【００３６】
前記Ｓ８において警告ランク１〜３のダウンが必要でないと判断された場合、すなわち静電界検出レベルが落雷検出レベルより高く、あるいは落雷検出レベルと等しく、図１１におけるランクダウン条件※１〜４に該当しない場合には、Ｓ９に進行する。そして、Ｓ９において、制御部２６から警告ランクＲＮがダウンされることなく出力されて、警告灯３１、警告放送３２及びメール配信３３等による通知により、警告ランクに応じた落雷警告が行われる。次のＳ１０においては、前記落雷検出装置２１及び静電界検出装置２２からの検出信号が変化したか否かが判別され、検出信号が変化した場合には、続くＳ１１において検出信号が低下しているか否かが判別される。
【００３７】
前記Ｓ１１において検出信号が低下していると判別された場合には、Ｓ１２において検出信号の低下状態で一定時間（例えば、１０分）経過したか否かが判別される。そして、一定時間経過した場合には、次のＳ１３において現在の落雷警告が解除される。その後、前記Ｓ１に戻ってＳ１〜Ｓ１３の動作が繰り返し行われる。また、Ｓ１１において検出信号のレベルが低下していないと判別された場合、つまり検出信号のレベルが維持されたり、レベルが上昇されたりしている場合には、Ｓ１２及びＳ１３の動作を行うことなく、Ｓ１に戻ってＳ１〜Ｓ１３の動作が繰り返し行われる。以上のように、検出信号のレベルが維持される場合は、警告ランクが維持され、検出信号のレベルが上昇された場合は、警告ランクがただちにアップされ、検出信号のレベルが下降された場合は、警告ランクが一定時間を経てダウンされる。
【００３８】
一方、前記Ｓ８において警告ランク１〜３のダウンが必要であると判断された場合、すなわち静電界強度の検出レベルが落雷の検出レベルより低くて、図１１におけるランクダウン条件※１〜４に該当する場合には、図３のＳ１４に進行する。Ｓ１４においては、外部機関から降水情報２８ａ及び風情報２８ｂが入力されたか否かが判別される。外部機関からの入力系統の故障等により入力不能の場合には、Ｓ９に戻って、警告ランクのダウン処理を行うことなく落雷の警告が行われる。これに対して、降水情報２８ａ及び風情報２８ｂが入力された場合には、次のＳ１５において処理部３０から、図１０に示すように降水、風情報の検出レベル−１，１〜４のいずれかが出力される。
【００３９】
次に、Ｓ１６においては、外部機関から雷注意報２９が入力されたか否かが判別される。雷注意報２９が入力された場合には、次のＳ１７において、図１１のランクダウン条件※１，すなわち静電界検出レベルＬＶが“０”で、落雷検出レベルＬＶが“１”に該当するか否かが判別される。ランクダウン条件※１に該当しない場合には、Ｓ１８に進行する。また、前記Ｓ１６の判別において、外部機関からの入力系統の故障等により入力不能の場合には、Ｓ１７の判別動作を行うことなく、Ｓ１８に進行する。Ｓ１８においては、図１１のランクダウン条件※２，すなわち静電界検出レベルＬＶが“０”で、落雷検出レベルＬＶが“２”に該当するか否かが判別され、ランクダウン条件※２に該当しない場合には、Ｓ１９に進行して図１１のランクダウン条件※３，すなわち静電界検出レベルＬＶが“０”で、落雷検出レベルＬＶが“３”に該当するか否かが判別される。
【００４０】
前記Ｓ１７においてランクダウン条件※１に該当すると判別された場合には、図４のＳ２０に進行する。Ｓ２０においては、降水情報２８ａ、風情報２８ｂの検出レベルが“−１”であるか否かが判別される。検出レベルが“−１”である場合には、すなわち、作業現場に雷雲が到達する可能性がない場合は、落雷の警告を行うことなく、前記ステップＳ１に戻ってＳ１以降の動作が繰り返し行われる。
【００４１】
一方、検出レベルが“−１”でない場合、つまり検出レベルが“０〜４”のいずれかである場合には、Ｓ２１において雷注意報２９の有無が判別され、雷注意報２９がないときには、前記と同様に落雷の警告を行うことなく、ステップＳ１に戻ってＳ１以降の動作が繰り返し行われる。これに対して、Ｓ２１の判別において雷注意報があるときには、次のＳ２２において警報ランクが“１”に維持された後、図２のＳ９に移行して落雷の警告が行われる。
【００４２】
また、図３のＳ１８においてランクダウン条件※２に該当すると判別された場合には、図５のＳ２３に進行する。Ｓ２３においては、降水情報２８ａ、風情報２８ｂの検出レベルが“０”または“１”であるか否かが判別される。検出レベルが“０”または“１”である場合には、作業現場に対する落雷の可能性が低いということになり、次のＳ２４において警告ランクが“２”から“１”にダウンされる。これに対して、降水情報２８ａ、風情報２８ｂの検出レベルが“０”または“１”でなくて、“２”〜“４”である場合には、雷雲が襲来する可能性が高い、あるいはすでに到達しているとしてＳ２５において落雷の警報ランクが“２”に維持される。そして、前記Ｓ２４及びＳ２５から図２のＳ９に移行して落雷の警告が行われる。
【００４３】
さらに、図３のＳ１９においてランクダウン条件※３に該当すると判別された場合には、図６のＳ２６に進行する。Ｓ２６においては、降水情報２８ａ、風情報２８ｂの検出レベルが“０”であるか否かが判別される。検出レベルが“０”である場合には、落雷の可能性が低いとして、次のＳ２７において警告ランクが“３”から“１”にダウンされる。これに対して、降水情報２８ａ、風情報２８ｂの検出レベルが“０”でない場合には、Ｓ２８において降水、風情報の検出レベルが“１”であるか否かが判別され、検出レベルが“１”であるときには、次のＳ２９において警告ランクが“３”から“２”にダウンされる。また、Ｓ２８において検出レベルが“１”でないと判別された場合、つまり検出レベルが“２”〜“４”である場合には、Ｓ３０において警報ランクが“３”に維持される。そして、前記Ｓ２７、Ｓ２９及びＳ３０から図２のＳ９に移行して落雷の警告が行われる。
【００４４】
一方、図３のＳ１９においてランクダウン条件※３に該当しないと判別された場合、つまり、静電界検出レベルＬＶが“２”で、落雷検出レベルＬＶが“３”であって、ランクダウン条件※４に該当する場合には、図７のＳ３１に進行する。Ｓ３１においては、降水、風情報の検出レベルが“０”または“１”であるか否かが判別され、検出レベルが“０”または“１”である場合には、次のＳ３２において警告ランクが“３”から“２”にダウンされる。これに対して、降水、風情報の検出レベルが“０”または“１”でなくて、“２”〜“４”のいずれかである場合には、Ｓ３３において警報ランクが“３”に維持される。そして、前記Ｓ３２及びＳ３３から図２のＳ９に移行して落雷の警告が行われる。
【００４５】
以上のように、近傍（雲の下のエリア）の静電界検出レベルが電磁波で表われる例えば０〜１００ｋｍのエリアの落雷検出レベルより低い場合は、つまり、作業現場等あるいはその近辺への落雷の可能性が遠方位置の落雷の可能性より低い場合は、外部機関からの情報により確認を経た後に、静電界検出レベルが優先的に採用されてレベルダウンの警告が実行される。
【００４６】
そして、この実施形態によれば、以下のような効果を得ることができる。
（１）  この落雷警報システムにおいては、落雷検出装置２１により落雷の発生が検出されるとともに、静電界検出装置２２により雲・大地間の静電界の電界強度が検出される。そして、両検出装置２１，２２から出力された検出信号のレベルに基づいて、警告出力部としての制御部２６により警告情報のランクが決定され、そのランク付けされた警告情報が出力される。このため、作業現場等において落雷の可能性を適切に認識できる。
【００４７】
（２）  この落雷警報システムにおいては、落雷検出装置２１及び静電界検出装置２２から出力された検出信号のレベルに基づいたランクの警告情報が生成される。そして、この警告情報の生成にあたり、両検出装置２１，２２からの検出信号のレベルに高低差がある場合、静電界検出装置２２のレベルに優先的に従って警告情報のランクが調整される。従って、作業現場近辺の落雷条件が成立していないにも関わらず、遠雷検出による警告情報が発令される不都合を回避できる。このため、落雷警報を早期に、かつ精度良く発令できる。
【００４８】
（３）  この落雷警報システムにおいては、静電界検出装置２２の検出レベルが落雷検出装置２１の検出レベルより低い場合には、警告出力部から出力される警告情報のランクが、降水情報２８ａや風情報２８ｂ等を勘案した所定の条件下において、制御部２６によりダウンされる。よって、遠隔地の落雷検出情報及び近隣地の静電界検出情報に基づき、状況に応じて、雷発生のおそれを早期に、かつ高精度に判別して警告することができて、突発落雷及び遠方から接近する雷雲の雷に対して適切に対応することができる。
【００４９】
（４）  この落雷警報システムにおいては、制御部２６が作業現場等を含む所定圏内を対象とした雷注意報２９を入力して、その雷注意報２９の有無に従って警告情報のランクをダウンさせるようになっている。このため、雷注意報２９の有無に従って、言い換えれば作業現場等を含む所定圏内の状況に応じて警告情報のランクを的確にダウンさせることができて、不要な警告を削減できる。
【００５０】
（５）  この落雷警報システムにおいては、制御部２６が、降水情報２８ａや、風情報２８ｂを入力し、その降水情報２８ａや、風情報２８ｂに従って警告情報のランクをダウンさせるようになっている。このため、周囲の気象状況に応じて警告情報のランクを的確にダウンさせることができて、不要な警告を削減できる。
【００５１】
（６）  この落雷警報システムにおいては、前記制御部２６が、警告情報を携帯端末に対してメール配信３３するようになっている。このため、警告情報を個人的に伝達することができる。従って、作業現場において警告灯３１を視認することができなかったり、警告放送３２を聞くことができなかったりする場合に、警報が覚知されない状況が生じるおそれを回避することができる。
【００５２】
（７）  この落雷警報システムにおいては、落雷検出装置２１及び静電界検出装置２２からの検出レベルが上昇した場合は、ただちに警告ランクに反映される。これに対し、両装置２１，２２からの検出レベルが下降した場合は、一定時間経過してから警告ランクがダウンされる。従って、検出レベルが短い周期で上下する場合、それに従って警告発令及び警告停止がハンチング現象状に繰り返されるおそれを防止できる。このため、作業現場等の無用の戸惑いや煩雑さを抑制できる。
【００５３】
（変更例）
なお、この実施形態は、次のように変更して具体化することも可能である。
・  落雷検出装置２１の検出信号のレベル分け、静電界検出装置２２の検出信号のレベル分け、及び降水情報、風情報等のレベル分けの区分を適宜に変更すること。例えば、両装置２１，２２のレベル分けを２段階あるいは４段階以上にしたり、降水情報、風情報のレベル分けを２段階，３段階，４段階あるいは６段階以上にしたりすること。
【００５４】
・  警告情報のランク分けの区分を２段階あるいは４段階以上に変更すること。
・  風情報２８ｂを作業現場等において風向計等を用いて直接検出し、その検出データを制御部２６に対して出力すること。
【００５５】
・  低ランク警告を行なわないようにし、高ランク警告のみを行なうこと。
・  制御部２６が、雷注意報,降水情報,風情報のうちの少なくともひとつに従って警告情報のランクをダウンさせるように構成すること。
【符号の説明】
【００５６】
２１…落雷検出部としての落雷検出装置、２２…静電界検出部としての静電界検出装置、２３…制御装置、２４，２５…処理部、２６…警告出力部及びランク調整部を構成する制御部、２７…記憶部、２８ａ…降水情報、２８ｂ…風情報、２９…雷注意報、３０…処理部、３１…警告灯、３２…警告放送、３３…メール配信。
【図１】
0005966631.tif 000002
【図２】
0005966631.tif 000003
【図３】
0005966631.tif 000004
【図４】
0005966631.tif 000005
【図５】
0005966631.tif 000006
【図６】
0005966631.tif 000007
【図７】
0005966631.tif 000008
【図８】
0005966631.tif 000009
【図９】
0005966631.tif 000010
【図１０】
0005966631.tif 000011
【図１１】
0005966631.tif 000012
【図１２】
0005966631.tif 000013
【図１３】
0005966631.tif 000014
【図１４】
0005966631.tif 000015